(57)【特許請求の範囲】
【請求項１】
折畳み式傘の軸部を４段以上の入れ子式としてなる軸部構造において、最上段の中空軸部の内部下方に軸方向に長い支持ブロック体を嵌合し、該中空軸部の側面には軸方向に延長する長孔を形成するとともに該支持ブロック体には該長孔と整合する側面位置にて開口する狭幅のスリットを軸方向に穿設し、該スリット内に上方が拡大頭部として形成されたハジキ片を挿入するとともに該頭部を前記開口及び前記長孔から出没自在とし、該頭部を常時外方に付勢する手段を該ハジキ片と該支持ブロック体間に設けてなることを特徴とする折り畳み式傘の軸部構造。
【請求項２】
前記ハジキ片の下端部を前記支持ブロック体に枢着し、前記付勢手段として一端が該支持ブロック体に当接し他端が該下端部と該頭部との間に当接するバネ部材を使用してなることを特徴とする請求項１記載の折り畳み式傘の軸部構造。
【請求項３】
前記最上段の中空軸部の下端近傍に小孔を穿設し、該小孔と径方向に合致する位置において前記支持ブロック体の径方向に透孔を穿設し、該小孔内にコイルスプリングを圧縮介装すると共に該コイルスプリングの両端に球状部材を配設して該球状部材が前記小孔から外方に若干突出するように設置し、前記最上段の中空軸部が嵌挿される第２段の軸部の上端近傍に径方向に相対向した第２の小孔を穿設し、該最上段の中空軸部が該２段の軸部に対して十分に引き出された位置において前記球状部材が該第２の小孔に嵌合して該最上段の軸部の該２段の軸部に対する摺動を規制してなることを特徴とする請求項１または２記載の折り畳み式傘の軸部構造。
【請求項４】
前記第２段の軸部を第３段の軸部内に摺動自在に嵌合し、該第２段の軸部の下端近傍に第３の小孔を穿設し、該第３の小孔に先端が球状或いは円錐形状の突片を配設し、該突片を該第２段の軸部の内部において径方向に介装されたコイルスプリングによって外方に付勢し、前記第２段の軸部が嵌挿される第３段の軸部の上端近傍に第４の小孔を穿設し、該第２段の軸部が該第３段の軸部に対して十分に引き出された位置に置いて前記突片が該第４の小孔に嵌合して該第２段の軸部の該第３段の軸部に対する摺動を規制してなることを特徴とする請求項１乃至３の何れか一項に記載の折り畳み式傘の軸部構造。
【発明の詳細な説明】
【０００１】
【発明の属する技術分野】
本発明は折畳み式傘の軸部を４段以上の入れ子式としてなる軸部構造に関するものである。
【０００２】
【従来の技術】
従来の折り畳み式傘は段数が多くても３段式で、そのシャフト（軸）はハジキ手段が取り付けられた最上段軸部と、中段軸部と、柄部が取り付けられた最下段軸部とからなっている。最上段の軸部におけるハジキ手段の取付構造について図５を参照にして説明すると、中空に形成された最上段軸部１に長手方向に沿って約２ｃｍ程の長さの第１のスリット２が形成され、そのスリットから約３．５ｃｍ程下方に離れた位置に第１の小孔３が穿設されている。ハジキ部片４は比較的薄い板材からなり、拡大頭部４ａと中間細長部４ｂと「く」字状折曲部４ｃとからなり、そのハジキ部片４を中空の最上段軸部１の下方から押し込むとハジキ部片はく字状折曲部４ｃにおいて弾性変形しながら押し込まれ、ハジキ部片の頭部４ａが上記スリット２から外方に突出するとともにく字状折曲部４ｃの下端４ｄが上記小孔３に係合してハジキ部片４が弾性的に固定される。
【０００３】
また、最上段軸の前記小孔から若干下方位置で軸部の反対側側面に第２の小孔５が形成され、この小孔の下方で軸部の下端近傍には第２のスリット６が形成されている。この第２の小孔５と第２のスリット６には上方にく字状折曲部７ａを有し下端に三角形状凸部７ｂを有する係合片７が上記ハジキ部片と同様に係合され、第２のスリットからは三角形状凸部の先端が外方に突出している。
【０００４】
最上段軸部１が摺動自在に嵌挿する中段軸部８の上端近傍には第３のスリット９が形成され、この嵌挿状態で第２のスリット６と第３のスリット９とが合致した位置において両スリットを通して前記係合片７の三角形状凸部７ｂが外方に突出して、最上段軸部１が中間軸部８に対して摺動しないように固定される。
【０００５】
中段軸部８の下端近傍には第４の小孔１０が穿設され、この小孔１０を穿設した中段軸部内には山形に形成した細幅板バネ１１が山形の裾部を圧縮する形で挿入され、その板バネの下端部に植設した円錐状突起１２が第４の小孔１０から外方に突出するように付勢されている。
【０００６】
中段軸部が摺動自在に嵌挿する下段軸部１３の上端部近傍には第５の小孔１４が穿設され、上記第４の小孔１２と第５の小孔１４とが合致したときに両小孔を貫通して上記円錐状突起１２が外方に突出して中段軸部８が下段軸部１３に対して摺動するのを阻止して下段軸部が中段軸部８に対して伸張した状態を維持する。
【０００７】
【発明が解決しようとする課題】
上記のような従来の３段折り畳み式傘においては、ハジキ部片４は拡大頭部４ａと中間細長部４ｂと「く」字状折曲部４ｃとから細長く形成されている。また、最上段軸部１と中段軸部８とを連結する係合片７が細長く形成されている。そしてまた、中段軸部８と下段軸部１３とを係合するために山形に形成した細幅板バネ１１を使用している。これらの３つの部品はそれぞれ軸の長手方向に比較的長い距離をとるため、最上段軸部１から下段軸部１３までのそれぞれの軸部１，８，１３が比較的長く形成される必要があり、従って従来の折り畳み式傘は２段式または３段式がほとんどで、４段または５段式に形成することができなかった。
【０００８】
本発明は上記の問題点に鑑みてなされたもので、その目的はハジキ部片や係合部材を短小なものとして折り畳み式傘の軸部を４段以上に伸縮自在としてなる折畳み式傘の軸部構造を提供することにある。
【０００９】
【課題を解決するための手段】
上記の目的を達成するため、本発明では折畳み式傘の軸部を入れ子式としてなる軸部構造において、最上段の中空軸部の内部下方に軸方向に長い支持ブロック体を嵌合し、該中空軸部の側面には軸方向に延長する長孔を形成するとともに該支持ブロック体には該長孔と整合する側面位置にて開口する狭幅のスリットを軸方向に穿設し、該スリット内に上方が拡大頭部として形成されたハジキ片を挿入するとともに該頭部を前記開口及び前記長孔から出没自在とし、該頭部を常時外方に付勢する手段を該ハジキ片と該支持ブロック体間に設けてなるのである。
【００１０】
上記の構成によりハジキ片の軸部に沿った長さを大幅に短縮して最上段の中空軸部の長さを短いものとして、折り畳み式傘の軸部を４段以上の多段構成とすることが可能となる。
【００１１】
好ましくは、前記ハジキ片の下端部を前記支持ブロック体に枢着し、前記付勢手段として一端が該支持ブロック体に当接し他端が該下端部と該頭部との間に当接するバネ部材を使用することである。
【００１２】
また好ましくは、前記最上段の中空軸部の下端近傍に小孔を穿設し、該小孔と径方向に合致する位置において前記支持ブロック体の径方向に透孔を穿設し、該小孔内にコイルスプリングを圧縮介装すると共に該コイルスプリングの両端に球状部材を配設して該球状部材が前記小孔から外方に若干突出するように設置し、前記最上段の中空軸部が嵌挿される第２段の軸部の上端近傍に径方向に相対向した第２の小孔を穿設し、該最上段の中空軸部が該２段の軸部に対して十分に引き出された位置において前記球状部材が該第２の小孔に嵌合して該最上段の軸部の該２段の軸部に対する摺動を規制してなることである。
【００１３】
これにより、従来使用されていたような細長い係合片を使用しないですむから、最上段の中空軸部の長さを更に短いものとして、折り畳み式傘の軸部を４段以上の多段構成とすることが可能となる。
また好ましくは、前記第２段の軸部を第３段の軸部内に摺動自在に嵌合し、該第２段の軸部の下端近傍に第３の小孔を穿設し、該第３の小孔に先端が球状或いは円錐形状の突片を配設し、該突片を該第２段の軸部の内部において径方向に介装されたコイルスプリングによって外方に付勢し、前記第２段の軸部が嵌挿される第３段の軸部の上端近傍に第４の小孔を穿設し、該第２段の軸部が該第３段の軸部に対して十分に引き出された位置に置いて前記突片が該第４の小孔に嵌合して該第２段の軸部の該第３段の軸部に対する摺動を規制してなることである。
【００１４】
これにより、従来のような山形に屈曲形成した細幅板バネの使用を省略することができるから、最上段の中空軸部の下方の軸部の長さを短縮して、折り畳み式傘の軸部を５段等の多段構成とすることが可能となる。
【００１５】
【発明の実施の形態】
以下に本発明の好適な実施形態について説明する。図１は軸部を７段構造とした折畳み傘の骨部が折畳み状態と伸張状態の中間位置にある時の状態の要部を断面して示し、図２はその伸張状態をそして図３はその折畳み傘において使用されるハジキ手段の要部を分解して示す斜視図で、図１及び図２においては軸部を構成する各軸を一部破断して短縮して示している。
【００１６】
図１において、最上段を構成する第１段の軸部２０の上端には上ロクロ２１が固着され、上ロクロの左右にはそれぞれ３つの横スリット付の縦溝部が形成され、各縦溝部には第１親骨２２の内端が挿入されている。そして、各第１親骨の内端近傍には小孔が穿設され、全ての第１親骨の前記小孔を挿通する針金が前記横スリットを通して配設され、これによって第１親骨２２は上ロクロ２１に対して上下に枢動可能に取り付けられている。
【００１７】
第１段の軸部２０の中間部にはハジキ手段５０が設けられ、第１段の軸部２０は第２段の中空軸部２３内に入れ子式に配設とされ、第２段以降の第３〜第６段の中空軸部２４〜２７はそれぞれ下段の軸部内に入れ子式に配設され、第６段の軸部２７は最下段の柄部２９を取り付けた第７段の軸部２８内に入れ子式に配設されている。
【００１８】
第１段の軸部２０の外周には下ロクロ３０が遊嵌され、下ロクロ３０は中間にフランジ部３１を有する筒部３２からなり、中間フランジ部３１は上ロクロ２１と同様に、その左右にはそれぞれ３つの横スリット付の縦溝部が形成されている。その各縦溝部には受骨３３の内端が挿入されている。そして、各受骨３３の内端近傍には小孔が穿設され、全ての受骨３３の前記小孔を挿通する針金が前記横スリットを通して配設され、これによって受骨３３は下ロクロ３０に対して上下に枢動可能に取り付けられている。
【００１９】
折畳み骨構造について概説すると、第１親骨２２の外端は受骨３３の中間部に枢着され、受骨３３の外端は第２親骨３４の内端近傍に枢着され、第２親骨の内端は第１補助骨３５の外端に枢着され、第１補助骨の内端は第１親骨の外端近傍に枢着されている。第２親骨３４の外端部は第３親骨３６の内端に枢着され、第３親骨３６の外端は第４親骨３８の内端近傍に枢着され、第４親骨の内端は第２補助骨３７によって第２親骨の外端近傍に枢着されている。第４親骨３８はその下端に取り付けられたダボ３９を介して第５親骨４０に枢着されている。
【００２０】
また、第２親骨３４の下端にはダボ４１が枢着され、そのダボ４１の下端には針金４２の外端が回動自在に取り付けられ、その針金は第２親骨の中間部を通って受骨３３の外端近傍に連結されている。
【００２１】
この状態から下ロクロ３０を指先で挾んで押し上げると、折畳み傘の骨構造が開き始め、下ロクロ３０の筒部３２の上端がハジキ手段５０のハジキ片５１に押し当たり、これを第１段の軸部２０内に押し込みながら上昇し、下ロクロの筒部３２の下端がハジキ片の上端を越えるとハジキ片５１は弾性手段によって中空な第１の軸部２０の外側に突出し、下ロクロ３０の下降を阻止すると共に折り畳み傘の骨構造は図２に示すように伸張する。これとは逆に、図２の状態からハジキ片５１を第１段の軸部２０の内部に押し込むと、傘骨の弾性により下ロクロ３０はハジキ手段５０の下方に押し込まれ、図１の状態になり、更に下ロクロ３０を下方に引き下げると傘骨は図１の状態から第１段の軸部の方向に寄り集まるように折り畳まれていく。
【００２２】
次に、本発明のハジキ手段５０について、図３の分解図を参照にして説明する。図３において上方に示されたのは第１段の軸部２０で中空構造となっている。この第１段の軸部２０の中間部には長孔５２が穿設され、この長孔を通してハジキ片５１が出没自在とされる。この中空な第１段の軸部２０の下方内部には軸方向に長い支持ブロック体５３が密嵌して設けられている。この支持ブロック体５３には一側面が開口した縦長のスロット５４が形成され、このスロット５４は第１段の軸部２０の長孔５２と半径方向に位置が合致している。このスロット５４内にはハジキ片５１が出没自在に配設され、ハジキ片５１の下端部はピン５５が挿通され、これによってハジキ片５１はピンを中心として枢動可能となっている。このピン５５より若干上方位置のハジキ片の部位には凹状切欠５６が形成され、この凹状切欠５６には小コイルスプリング５７によって付勢された小球５８が嵌合し、これによってハジキ片５１は常時外方へ付勢されている。
【００２３】
また、支持ブロック体５３のスロット５４より下方位置にはスロット５４の延長線と交差する方向に透孔５９が穿設され、この透孔５９内に小コイルスプリング６０を挾んで２つの小球６１が配設されている。この透孔５９と一直線上に位置するように第１の軸部２０の両側に相対向して小孔が穿設され、この小球６１は第１の軸部の小孔から一部外方に突出するようになっている。
【００２４】
第１の軸部２０が入り子式に嵌合する第２の軸部２３の上端近傍には前記小球６１が嵌合する小孔が形成され、第１の軸部２０が第２の軸部２３に対して十分に引き出されたときに、前記第１の軸部の下方に設けた前記小球６１が第２の軸部の上端近傍に設けた小孔と嵌合して第１の軸部２０は第２の軸部２３に対して引き出された位置に固定される。これとは逆に、前記の引き出された位置から、第１の軸部２０を第２の軸部２３に対してある所定の力以上で押圧すると、第２の軸部２３に形成した小孔の縁によって第１の軸部に設けた小球６１が小コイルスプリング６０に抗して押し込まれ、第１の軸部２０が第２の軸部２３内に入り子式に挿入されるようになる。このようにして、第１の軸部２０を第２の軸部２３から引き出したり、第１の軸部２０を第２の軸部２３の内部に収容することが可能となる。
【００２５】
第２の軸部２３、第３の軸部２４，第４の軸部２５のそれぞれの下方部には、第１の軸部２０の場合と同様に相対向して小孔が穿設され、これらの相対向する小孔の間には小コイルスプリング６３〜６５が圧縮介装され、これらの小コイルスプリング６３〜６５の両端に配設された小球６６〜６８が前記小孔から一部外方に弾性的に突出している。第２〜第４の軸部２３，２４，２５がそれぞれ入れ子式に嵌入される第３〜第５の軸部２４，２５，２６の上端近傍には前記小球６６〜６８が嵌合する小孔が形成され、第２〜第４の軸部を第３〜第５の軸部に対してそれぞれ引き出したときに前記小球６６〜６８が前記小孔に嵌合してそれぞれが引き出した位置に固定される。これとは逆に、この引き出された位置から軸部を入れ子式に嵌挿するように押し込むと、前記小孔の縁によって前記それぞれの小球６６〜６８が小コイルスプリング６３〜６５に抗して押し込まれ、第２〜第４の軸部２３〜２５がそれぞれ嵌入される第３〜第５の軸部２４〜２６内に入れ子式に挿入され、前記同様に出没自在となっている。
【００２６】
前記第２の軸部〜第４の軸部２３〜２５では小コイルスプリング６３〜６４の両側に小球６６〜６８を配設してこれらの軸部を入れ子式に伸縮自在としたが、第５の軸部２６と第６の軸部２７では軸の径が比較的大きくなるので、これらの内部に小コイルスプリングに代えて中コイルスプリング６９，７０を配設し、このコイルスプリングの一端のみに断面円錐台形状の突起７１，７２を配設し、この突起を軸部２６，２７に形成した小孔を通して外方に弾性的に突出させている。その他の構成作用は第２〜第４の軸部の場合と同じである。これにより第５の軸部２６及び第６の軸部２７はそれぞれ第６の軸部２７と第７の軸部２８に対して入れ子式に出没自在とされている。
【００２７】
上記の構成により、傘骨を折り畳んだ後に柄部２９を強制的に上方に押し込むと、第７の軸部２８の内部に第６の軸部２７が入れ子式に入り、その後順次、第６の軸部２７内に第５の軸部２６が入り、第５の軸部２６内に第４の軸部２５が入り、第４の軸部２５内に第３の軸部２４が入り、第３の軸部２４内に第２の軸部２３が入り、第２の軸部２２内に第１の軸部２０が入る。そして、柄部２９の上側内周内に傘骨のダボ３９の先端を収容することによって、図４のように非常に短小な寸法内に傘が折り畳まれるのである。
【００２８】
【発明の効果】
以上のように本発明の折畳み傘の軸部構造では、ハジキ片の軸部に沿った長さを大幅に短縮して最上段の中空軸部の長さを短いものとして、折り畳み式傘の軸部を４段以上の多段構成とすることが可能となる。
【００２９】
また、好ましい実施形態では、従来のような山形に屈曲形成した細幅板バネの使用を省略することができるから、最上段の中空軸部の下方の軸部の長さを短縮して、折り畳み式傘の軸部を５段等の多段構成とすることが可能となる。
【図面の簡単な説明】
【図１】軸部を７段構造とした折畳み傘の傘骨が折畳み状態と伸張状態の中間位置にある時の状態を示す要部断面図。
【図２】図１の状態から傘骨及び軸部を伸張状態にしたときの要部を示す部分断面図。
【図３】本発明の折畳み傘において使用されるハジキ手段の要部を分解して示す斜視図。
【図４】本発明の折畳み傘の傘骨及び軸部を折り畳んだ状態を示す断面図。
【図５】従来の折畳み傘の軸部の要部を示す部分断面図。
【符号の説明】
２０      第１段の軸部
２３〜２８  第２段〜第７段の軸部
５０      ハジキ手段
５１      ハジキ片
５２      長孔
５３      支持ブロック体
５４      縦長のスロット
５５      ピン
５７      小コイルスプリング
５８      小球
６１      小球
６３〜６５  小コイルスプリング
６６〜６８  小球
６９，７０  中コイルスプリング
７１，７２  断面円錐台形状の突起
【図１】
0003935389.tif 000002
【図２】
0003935389.tif 000003
【図３】
0003935389.tif 000004
【図４】
0003935389.tif 000005
【図５】
0003935389.tif 000006